(57)【要約】【課題】  容易に装着および取り外しができ、装着時の不快感を軽減することができるイヤリングを提供する。【解決手段】  イヤリング１０は、一面が耳たぶ表側に当接する耳たぶ受け部２と、耳たぶ受け部２との間に耳たぶを挟持するための耳たぶ挟持部３とを備えている。耳たぶ受け部２は、一面が合成樹脂部材５ａで被覆されている。耳たぶ挟持部３は、基軸３１を中心として回動可能に形成されたアーム部３２を有している。アーム部３２は、付勢部材により耳たぶを挟持する方向に付勢されている。アーム部３２の先端部はリング部３３が形成され、リング部３３には合成樹脂部材５ｂが嵌合されている。【選択図】  図１
0003170451.tif 000002
【実用新案登録請求の範囲】
【請求項１】
一面が耳たぶ表側に当接する耳たぶ受け部と、耳たぶ裏側に配置され、前記耳たぶ受け部との間に耳たぶを挟持するための耳たぶ挟持部とを備えたイヤリングにおいて、
前記耳たぶ挟持部は、基軸を中心として回動可能に形成され付勢部材により耳たぶを挟持する方向に付勢されたアーム部を有すると共に、前記耳たぶ受け部および前記耳たぶ挟持部は、耳たぶと当接する箇所にそれぞれ合成樹脂部材が取り付けられたことを特徴とするイヤリング。
【請求項２】
前記耳たぶ挟持部は、前記アーム部の先端部が円環状に形成され、前記アーム部の先端部に前記合成樹脂部材が嵌合されたことを特徴とする請求項１に記載のイヤリング。
【請求項３】
前記合成樹脂部材は、シリコン樹脂であることを特徴とする請求項１乃至請求項２のいずれか１項に記載のイヤリング。
【請求項４】
前記耳たぶ受け部は、他面に耳を装飾するための装飾部材が取り付けられたことを特徴とする請求項１乃至請求項３のいずれか１項に記載のイヤリング。
【考案の詳細な説明】
【技術分野】
【０００１】
本考案は、イヤリングに係り、特に、耳たぶの両側面から挟持して装着するイヤリングに関する。
【背景技術】
【０００２】
従来、耳たぶに装着するイヤリングには、様々な種類のものが使用されている。例えば、Ｕ字形の基材の一端（めねじ部）に取り付けられたおねじを螺進させて、基材の他端とおねじとの間に耳たぶを両側面から挟持して装着するねじ方式のイヤリングがある。
【考案の開示】
【考案が解決しようとする課題】
【０００３】
しかしながら、このねじ方式のイヤリングでは、基材の他端とおねじとの間隔が耳たぶの厚さと比較して狭く形成されており、特に、耳たぶの厚い使用者にとっては、イヤリングを装着しにくく、装着および取り外しに時間を要するという問題がある。
【０００４】
また、ねじ方式のイヤリングでは、基材のめねじ部におねじをねじ込んで耳たぶの両側面から挟持するため、イヤリングを装着中の使用者の動きにより、ねじが緩み方向へ移動し、イヤリングが耳たぶから外れて紛失してしまうおそれがある。
【０００５】
イヤリングが耳たぶから外れないように、装着時におねじを強くねじ込んで耳たぶに取り付けると、使用者はこのねじの締め付けによる痛み等の不快感が伴い非常に煩わしく感じるという不具合が生じる。
【０００６】
更に、ねじ方式のイヤリングでは、耳たぶと直接接触する基材およびおねじが金属製のものが多く、金属アレルギーの使用者がこのイヤリングを装着すると、耳たぶのイヤリングが接触した部分が皮膚炎を起こすおそれがある。
【０００７】
本考案は上記事案に鑑み、容易に装着および取り外しができ、装着時の不快感を軽減することができるイヤリングを提供することを課題とする。
【課題を解決するための手段】
【０００８】
上記課題を解決するために、請求項１の考案にかかるイヤリングは、一面が耳たぶ表側に当接する耳たぶ受け部と、耳たぶ裏側に配置され、前記耳たぶ受け部との間に耳たぶを挟持するための耳たぶ挟持部とを備えたイヤリングにおいて、前記耳たぶ挟持部は、基軸を中心として回動可能に形成され付勢部材により耳たぶを挟持する方向に付勢されたアーム部を有すると共に、前記耳たぶ受け部および前記耳たぶ挟持部は、耳たぶとする当接する箇所にそれぞれ合成樹脂部材が取り付けられたことを特徴とする。
【０００９】
従って、アーム部が基軸を中心として回動可能に形成されたことで、装着時にアーム部を回動させて耳たぶ受け部と耳たぶ挟持部との間の間隔を十分に確保することができる。また、アーム部が耳たぶを挟持する方向に付勢されたことで、耳たぶ受け部と耳たぶ挟持部との間に確実に耳たぶを挟持することができる。更に、耳たぶ受け部および耳たぶ挟持部の耳たぶと当接する箇所に合成樹脂部材がそれぞれ取り付けられたことで、装着時に耳たぶが直接金属に接触することがないので、耳たぶへの負担が軽減される。
【００１０】
請求項２の考案にかかるイヤリングは、前記耳たぶ挟持部が前記アーム部の先端部が円環状に形成され、前記アーム部の先端部に前記合成樹脂部材が嵌合されたことを特徴とする。
【００１１】
従って、アーム部の先端部が円環状に形成されており、アーム部の先端部に合成樹脂部材が嵌合されたことで、合成樹脂部材をアーム部の先端部に確実に固定することができる。
【００１２】
請求項３の考案にかかるイヤリングは、前記合成樹脂部材がシリコン樹脂であることを特徴とする。
【００１３】
従って、合成樹脂部材がシリコン樹脂で形成されたことで、イヤリングを長年使用しても、合成樹脂部材の腐食等による劣化を抑制することができる。
【００１４】
請求項４の考案にかかるイヤリングは、前記耳たぶ受け部は、他面に耳を装飾するための装飾部材が取り付けられたことを特徴とする。
【００１５】
従って、様々な種類の装飾部材を取り付けることができるので、イヤリングのデザイン性を向上させることができる。
【考案の効果】
【００１６】
請求項１の考案にあっては、アーム部が基軸を中心として回動可能に形成されたことで、装着時にアーム部を回動させて耳たぶ受け部と耳たぶ挟持部との間の間隔を十分に確保することができる。このため、耳たぶの厚い使用者でも、容易に装着および取り外しをすることができる。
【００１７】
また、請求項１の考案にあっては、アーム部が付勢部材により耳たぶを挟持する方向に付勢されたことで、耳たぶ受け部と耳たぶ挟持部との間に確実に耳たぶを挟持することができるので、使用中にイヤリングが耳たぶから外れにくくなる。更に、従来のねじ方式のイヤリングのようなねじによる締め付けがないので、装着時の耳たぶの不快感も軽減させることができる。
【００１８】
更に、請求項１の考案にあっては、耳たぶ受け部および耳たぶ挟持部の耳たぶと当接する箇所に合成樹脂部材がそれぞれ取り付けられたことで、装着時に耳たぶが直接金属に接触することがない。従って、装着時に耳たぶへの負担が軽減され、金属アレルギーの使用者が身につけても皮膚炎等を起こす頻度が減少し、安全性を確保することができる。
【００１９】
請求項２の考案にあっては、アーム部の先端部が円環状に形成されており、アーム部の先端部に合成樹脂部材が嵌合されたことで、合成樹脂部材をアーム部の先端部に確実に固定することができ、経年時にあっても、合成樹脂部材がアーム部の先端部から外れにくくなり、耐久性のあるイヤリングを提供することができる。
【００２０】
請求項３の考案にあっては、合成樹脂部材がシリコン樹脂で形成されたことで、イヤリングを長年使用しても、合成樹脂部材の腐食等による劣化を抑制することができ、イヤリングの長寿命化を図ることができる。
【００２１】
請求項４の考案にあっては、様々な種類の装飾部材を取り付けることができるので、イヤリングの外観品質を向上させることができる。
【図面の簡単な説明】
【００２２】
【図１】本考案を適用した実施形態のイヤリングを模式的に示す斜視図である。
【図２】実施形態のイヤリングにおいて、アーム部を回動させた状態を模式的に示す斜視図である。
【考案を実施するための最良の形態】
【００２３】
以下、図面を参照して、本考案を適用したイヤリングの実施の形態について説明する。
【００２４】
（構成）
図１に示すように、本実施形態のイヤリング１０は、使用者が耳たぶに装着したときに、一面が耳たぶの表側に当接する耳たぶ受け部２と、耳たぶの裏側に配置され、耳たぶ受け部２との間に耳たぶを挟持するための耳たぶ挟持部３と、を備えている。
【００２５】
耳たぶ受け部２は、円盤状に形成され、耳たぶと当接する一面には合成樹脂部材５aが取り付けられ、耳たぶ受け部２の一面が合成樹脂部材５aで被覆されている。
合成樹脂部材５aは、樹脂であればどのような材質で形成されていてもよいが、本例では、シリコン樹脂で形成されている。他面には耳たぶを装飾するための装飾部材４が取り付けられている。装飾部材４は、どのような形状、材質で構成されていてもよいが、本例では、装飾部材４は、円盤状の金属で形成されている。
【００２６】
耳たぶ挟持部３は、基軸３１を中心として回動可能に形成されたアーム部３２を有している。アーム部３２は、付勢部材としてのリン青銅製の可撓性を有する板バネが内蔵されており、耳たぶを挟持する方向に付勢されている。耳たぶ受け部２および耳たぶ挟持部３の間に耳たぶの両側面が挟持されることで、イヤリング１０が耳たぶに装着される。
【００２７】
すなわち、図２に示すように、イヤリング１０を耳たぶに装着するときには、基軸３１を中心としてアーム部３２を、耳たぶを挟持する方向と反対の方向に回動させると、耳たぶ受け部２および耳たぶ挟持部３の間の間隔が十分に確保される。耳たぶ受け部２および耳たぶ挟持部３の間に耳たぶを配置したまま、アーム部３２を、耳たぶを挟持する方向へ回動するように一定の力を加えると、板バネの弾性により自動的に力を加えた方向へ回動し、耳たぶが挟持される。
【００２８】
アーム部３２の先端部は、円環状に形成されたリング部３３を有している。リング部３３に、側面に溝が形成された円盤状の合成樹脂部材５ｂが嵌合されることで、合成樹脂部材５ｂが確実に固定されている。合成樹脂部材５ｂは、樹脂であればどのような材質で形成されていてもよいが、本例では、合成樹脂部材５ａと同じシリコン樹脂で形成されている。イヤリング１０が耳たぶに装着されると、耳たぶ受け部２および耳たぶ挟持部３の間に耳たぶが挟持され、耳たぶの両面側が合成樹脂部材５aおよび合成樹脂部材５ｂに直接接触することとなる。
【００２９】
（作用等）
次に、本実施形態のイヤリング１０の作用等について、説明する。
【００３０】
本実施形態のイヤリング１０では、アーム部３２が基軸３１を中心として回動可能に形成されている。このため、装着する時に、アーム部３２を、耳たぶを挟持方向と反対の方向に回動させて耳たぶ受け部２と耳たぶ挟持部３との間の間隔を十分に確保することができる。このため、耳たぶの厚い使用者でも、容易に装着および取り外しをすることができる。
【００３１】
また、本実施形態のイヤリング１０では、アーム部３２が付勢部材（板バネ）により耳たぶを挟持する方向に付勢されている。このため、耳たぶ受け部２と耳たぶ挟持部３との間に確実に耳たぶを挟持することができるので、使用中にイヤリングが耳たぶから外れにくくなる。更に、従来のねじ方式のイヤリングのようなねじによる締め付けがないので、装着時の耳たぶの不快感も軽減させることができる。
【００３２】
更に、本実施形態のイヤリング１０では、耳たぶ受け部２および耳たぶ挟持部３の耳たぶと当接する箇所に合成樹脂部材５ａおよび合成樹脂部材５ｂがそれぞれ取り付けられたことで、装着時に耳たぶが直接金属に接触することがない。従って、装着時に耳たぶへの負担が軽減され、金属アレルギーの使用者が身につけても皮膚炎等を起こす頻度が減少し、安全性を確保することができる。
【００３３】
また更に、本実施形態のイヤリング１０では、アーム部の先端部が円環状に形成されたリング部３３を有しており、このリング部３３に合成樹脂部材５ｂが嵌合されている。このため、合成樹脂部材５ｂをリング部３３に確実に固定することができ、合成樹脂部材５ｂがリング部３３から外れにくくなる。
【００３４】
更にまた、本実施形態のイヤリング１０では、合成樹脂部材５ａおよび合成樹脂部材５ｂがシリコン樹脂で形成されている。このため、イヤリング１０を長年使用しても、合成樹脂部材５ａおよび合成樹脂部材５ｂの腐食等による劣化を抑制することができるので、イヤリング１０の長寿命化を図ることができる。
【００３５】
また、本実施形態のイヤリング１０では、耳たぶ受け部２の他面に装飾部材４が取り付けられている。このため、イヤリングの外観品質を向上させることができる。
【００３６】
なお、本実施形態では、合成樹脂部材５ａおよび合成樹脂部材５ｂに同じシリコン樹脂を用いる例を示したが、本考案はこれに限定されるものではなく、例えば、ポリウレタン樹脂を用いてもよい。
合成樹脂部材５ａおよび合成樹脂部材５ｂにシリコン樹脂を用いた場合には、合成樹脂部材５ａおよび合成樹脂部材５ｂの劣化を抑制することができる。また、合成樹脂部材５ａおよび合成樹脂部材５ｂに異なる樹脂を用いてもよい。
【００３７】
また、本実施形態では、アーム部３２の付勢部材としてリン青銅製の板バネを用いる例を示したが、本考案はこれに限定されるものではなく、アーム部３２を、耳たぶを挟持する方向に付勢することができれば他の材質のものを用いてもよい。
【００３８】
更に、本実施形態では、合成樹脂部材５ｂがアーム部３２の先端部に形成されたリング部３３に嵌合された例を示したが、本発明はこれに限定されるものではなく、合成樹脂部材５ｂをアーム部３２の先端部に確実に固定することができれば、合成樹脂部材５ｂがアーム部３２にどのような構成で取り付けられていてもよい。例えば、アーム部３２の先端部を円盤状に形成し、その一面に合成樹脂部材５ｂを接着剤等で貼着してもよい。
【００３９】
また更に、本実施形態では、装飾部材４が、円盤状の金属板で形成されている例を示したが、本考案はこれに限定されるものではなく、どのような材質、形状に形成されていてもよい。
【産業上の利用可能性】
【００４０】
本考案は、容易に装着および取り外しができ、装着時の不快感を軽減することができるイヤリングを提供するため、イヤリングの製造、販売に寄与するので、産業上の利用可能性を有する。
【符号の説明】
【００４１】
２  耳たぶ受け部
３  耳たぶ挟持部
４  装飾部材
５ａ  合成樹脂部材
５ｂ  合成樹脂部材
１０  イヤリング
３１  基軸
３２  アーム部
３３  リング部
【図１】
0003170451.tif 000003
【図２】
0003170451.tif 000004